(57)【要約】【課題】ゴルフクラブを加温および保温するゴルフクラブ加温システムを提供する。【解決手段】ゴルフクラブ加温装置が、通電されると発熱する面状ヒータ３、電池を内蔵する電池パック４、および面状ヒータ３と電池パック４とを接続する電源ケーブル５を含む。面状ヒータ３は、キャディバッグ１の内側面のシャフト部１０２の近傍に垂下される。シャフト部１０２が発熱した面状ヒータ３によって、直接に、および間接的に加温される。ゴルフクラブ１００のグリップ部１０１やヘッド部１０３はシャフト部１０２を介して加温される。加温されたゴルフクラブ１００ヘッド部１０３や、キャディバッグ１の内部の空気は、ゴルフクラブ保温カバー２０ａによって保温される。【選択図】図１
0003158097.tif 000002
【実用新案登録請求の範囲】
【請求項１】
ヘッド部が上方になるようにキャディバッグに収容されたゴルフクラブを加温するゴルフクラブ加温装置であって、
面状に成型され、電力が供給されると発熱する発熱ヒータと、
前記発熱ヒータに電力を供給する電池を収納する電池パックと、
前記発熱ヒータと前記電池パックとを接続する電源ケーブルとを備え、
前記発熱ヒータは、前記キャディバッグに収容された前記ゴルフクラブのシャフト部の近傍に位置するように、前記電源ケーブルによって垂下される
ことを特徴とするゴルフクラブ加温装置。
【請求項２】
ヘッド部が上方になるようにキャディバッグに収容されたゴルフクラブを保温するゴルフクラブ保温カバーであって、
前記キャディバッグの上方に設けられる開口面であって、前記ゴルフクラブのうち、シャフト部およびグリップ部が出し入れされる開口面を覆う蓋部を備え、
前記蓋部は、前記ゴルフクラブのシャフト部およびグリップ部を前記キャディバッグの内部に出し入れ可能なスリットを含む
ことを特徴とするゴルフクラブ保温カバー。
【請求項３】
ヘッド部が上方になるようにキャディバッグに収容されたゴルフクラブを保温するゴルフクラブ保温カバーであって、
前記キャディバッグの上方に設けられる開口面であって、前記ゴルフクラブのうち、シャフト部およびグリップ部が出し入れされる開口面の周囲に巻きつけられる締結部と、
前記締結部に接続され、前記キャディバッグに収容された前記ゴルフクラブの前記ヘッド部の上部を覆うカバー部とを備え、
前記カバー部には、上面に当該カバー部によって前記ヘッド部の上部が覆われた前記ゴルフクラブを出し入れするためのスリットが設けられ、当該カバー部は、前記スリットを閉状態に保持可能なファスナ部を含む
ことを特徴とするゴルフクラブ保温カバー。
【請求項４】
請求項１記載のゴルフクラブ加温装置と、
請求項２または請求項３記載のゴルフクラブ保温カバーとを備えた
ことを特徴とするゴルフクラブ加温システム。
【考案の詳細な説明】
【技術分野】
【０００１】
本考案は、キャディバッグに収容されたゴルフクラブを加温するゴルフクラブ加温装置、ゴルフクラブを保温するゴルフクラブ保温カバー、およびゴルフクラブ加温装置とゴルフクラブ保温カバーとを備えたゴルフクラブ加温システムに関する。
【背景技術】
【０００２】
ゴルフは、競技者がゴルフクラブで静止したボールを打ち、いかに少ない打数でボールをホールに入れられるかを競う球技であり、屋外で行われる。
【０００３】
図７は、ゴルフクラブ１００を示す説明図である。図７に示すように、ゴルフクラブ１００は、競技者が把持するグリップ部１０１、ボールを打つヘッド部１０３およびグリップ部１０１とヘッド部１０３とを接続するシャフト部１０２からなり、不使用時にはキャディバッグに収容される。
【０００４】
競技者は、グリップ部１０１およびシャフト部１０２を介してヘッド部１０３を用いてボールを打ち、ボールを所望の位置で停止させるべく競技を行うのであるが、気温によってボールの飛距離は異なる。
【０００５】
具体的には、シャフト部１０２やヘッド部１０３は金属や樹脂等で製作されており、冬季等の外気温が低下している場合には、キャディバッグの内部の温度も低下し、ゴルフクラブの各部の温度も低下する。そうすると、シャフト部１０２のしなり度合いや、ヘッド部１０３の反発度合いが異なり、夏季等の競技時とボールの飛距離が異なるのである。
【０００６】
特許文献１には、ゴルフクラブのグリップ部分を覆う防水性を有する素材および保温性を有する素材からなるゴルフバッグが記載されている。
【０００７】
また、特許文献２には、グリップ部１０１を暖めるゴルフバッグが記載されている。
【先行技術文献】
【特許文献】
【０００８】
【特許文献１】特開２００６−６１４６２号公報（段落０００７−００１２、図１，図５）
【特許文献２】実開平５−６８５６９号公報（段落０００７−０００８、図１）
【考案の概要】
【考案が解決しようとする課題】
【０００９】
特許文献１の図１に記載されているゴルフバッグでは、ゴルフクラブのシャフト部が覆われないので、当該シャフト部を保温することができない。また、特許文献１の図５に記載されているゴルフバッグは、開口部が底部に設けられているので、ゴルフクラブの出し入れに手間がかかるという問題がある。
【００１０】
特許文献２に記載されているゴルフバッグは、ケースの底部に加温用の様々な機器が設置されるように構成されているので、それら機器を設置するための空間を必要とし、ケース自体が大型化し、運搬に手間がかかるという問題がある。また、ケース全体について専用に設計しなければならず、コストがかかる。
【００１１】
そこで、本考案は、低コストでゴルフクラブを加温するゴルフクラブ加温装置、ゴルフクラブを保温するゴルフクラブ保温カバー、およびゴルフクラブ加温装置とゴルフクラブ保温カバーとを備えたゴルフクラブ加温システムを提供することを目的とする。
【課題を解決するための手段】
【００１２】
本考案によるゴルフクラブ加温装置は、ヘッド部が上方になるようにキャディバッグに収容されたゴルフクラブを加温するゴルフクラブ加温装置であって、面状に成型され、電力が供給されると発熱する発熱ヒータと、発熱ヒータに電力を供給する電池を収納する電池パックと、発熱ヒータと電池パックとを接続する電源ケーブルとを備え、発熱ヒータは、キャディバッグに収容されたゴルフクラブのシャフト部の近傍に位置するように、電源ケーブルによって垂下されることを特徴とする。
【００１３】
本考案によるゴルフクラブ保温カバーは、ヘッド部が上方になるようにキャディバッグに収容されたゴルフクラブを保温するゴルフクラブ保温カバーであって、キャディバッグの上方に設けられる開口面であって、ゴルフクラブのうち、シャフト部およびグリップ部が出し入れされる開口面を覆う蓋部を備え、蓋部は、ゴルフクラブのシャフト部およびグリップ部をキャディバッグの内部に出し入れ可能なスリットを含むことを特徴とする。
【００１４】
本考案による他の態様のゴルフクラブ保温カバーは、ヘッド部が上方になるようにキャディバッグに収容されたゴルフクラブを保温するゴルフクラブ保温カバーであって、キャディバッグの上方に設けられる開口面であって、ゴルフクラブのうち、シャフト部およびグリップ部が出し入れされる開口面の周囲に巻きつけられる締結部と、締結部に接続され、キャディバッグに収容されたゴルフクラブのヘッド部の上部を覆うカバー部とを備え、カバー部には、上面に当該カバー部によってヘッド部の上部が覆われたゴルフクラブを出し入れするためのスリットが設けられ、当該カバー部は、スリットを閉状態に保持可能なファスナ部を含むことを特徴とする。
【００１５】
本考案によるゴルフクラブ加温システムは、ヘッド部が上方になるようにキャディバッグに収容されたゴルフクラブを加温するゴルフクラブ加温装置であって、面状に成型され、電力が供給されると発熱する発熱ヒータと、発熱ヒータに電力を供給する電池を収納する電池パックと、発熱ヒータと電池パックとを接続する電源ケーブルとを備え、発熱ヒータは、キャディバッグに収容されたゴルフクラブのシャフト部の近傍に位置するように、電源ケーブルによって垂下されることを特徴とするゴルフクラブ加温装置と、ヘッド部が上方になるようにキャディバッグに収容されたゴルフクラブを保温するゴルフクラブ保温カバーであって、キャディバッグの上方に設けられる開口面であって、ゴルフクラブのうち、シャフト部およびグリップ部が出し入れされる開口面を覆う蓋部を備え、蓋部は、ゴルフクラブのシャフト部およびグリップ部をキャディバッグの内部に出し入れ可能なスリットを含むことを特徴とするゴルフクラブ保温カバー、またはキャディバッグの上方に設けられる開口面であって、ゴルフクラブのうち、シャフト部およびグリップ部が出し入れされる開口面の周囲に巻きつけられる締結部と、締結部に接続され、キャディバッグに収容されたゴルフクラブのヘッド部の上部を覆うカバー部とを備え、カバー部には、上面に当該カバー部によってヘッド部の上部が覆われたゴルフクラブを出し入れするためのスリットが設けられ、当該カバー部は、スリットを閉状態に保持可能なファスナ部を含むことを特徴とするゴルフクラブ保温カバーとを備えたことを特徴とする。
【考案の効果】
【００１６】
本考案によれば、ゴルフクラブを加温または保温することができる。つまり、外気温や季節に関わらずゴルフクラブを適切な温度に維持することができる。そして、使用者に、外気温や季節に左右されず、安定して競技を行わせることができる。
【図面の簡単な説明】
【００１７】
【図１】本考案の実施の形態のゴルフクラブ加温システムの構成例を示す説明図である。
【図２】面状ヒータの構成を示す説明図である。
【図３】面状ヒータの垂直断面図である。
【図４】第１の実施の形態のゴルフクラブ保温カバーの例を示す外観斜視図である。
【図５】ゴルフクラブ保温カバーの垂直断面図である。
【図６】第２の実施の形態のゴルフクラブ保温カバーの例を示す外観斜視図である。
【図７】ゴルフクラブを示す説明図である。
【考案を実施するための形態】
【００１８】
実施の形態１．
本考案の第１の実施の形態のゴルフクラブ加温システムについて説明する。図１は、本考案の第１の実施の形態のゴルフクラブ加温システムの構成例を示す説明図である。図１に示すように、本考案の第１の実施の形態のゴルフクラブ加温システムは、ゴルフクラブ加温装置１０およびゴルフクラブ保温カバー２０ａを含む。また、ゴルフクラブ加温装置１０は、通電されると発熱する面状ヒータ３、電池を内蔵する電池パック４、および面状ヒータ３と電池パック４とを接続する電源ケーブル５を含み、既存のキャディバッグ１に設置されている。
【００１９】
図１に示すように、面状ヒータ３と電池パック４とは、キャディバッグ１の上側の開口面を通された電源ケーブル５によって接続される。ゴルフクラブ加温装置１０の面状ヒータ３は、電源ケーブル５によって、キャディバッグ１の内部におけるゴルフクラブ１００のシャフト部１０２の近傍に位置するように垂下される。また、ゴルフクラブ加温装置１０の電池パック４は、キャディバッグ１の外部に設置される。
【００２０】
電源ケーブル５は、キャディバッグ１の内側面に沿うように設置される。なお、面状ヒータ３および電源ケーブル５は、ゴルフクラブ１００のキャディバッグ１への出し入れに伴ってゴルフクラブ１００と擦れあうので、耐摩耗性を有することが望ましい。
【００２１】
電池パック４は、例えば、４〜８個程度の乾電池を収容可能である。そして、電池パック４には、面状ヒータ３への電力供給を開始および停止するスイッチが設けられ、当該スイッチがオン状態になったときに収容している乾電池からの電力供給を開始し、当該スイッチがオフ状態になったときに収容している乾電池からの電力供給を停止するように構成されていてもよい。
【００２２】
図２は、面状ヒータ３の構成を示す説明図である。図２に示すように、面状ヒータ３は、発熱ヒータ３３、当該発熱ヒータ３３を覆うヒータ保護部３２a，３２ｂ、および当該ヒータ保護部３２a，３２ｂを覆う防水性素材部３１ａ，３１ｂを含む。
【００２３】
図２に示すように発熱ヒータ３３の一方の面は、ヒータ保護部３２ａによって覆われている。そして、当該ヒータ保護部３２ａは、防水性素材部３１ａによって覆われている。また、図２に示すように発熱ヒータ３３の他方の面は、ヒータ保護部３２ｂによって覆われている。そして、当該ヒータ保護部３２ｂは、防水性素材部３１ｂによって覆われている。
【００２４】
そして、面状ヒータ３は、前後左右の端部から５〜７ｍｍ程度の範囲で各部が接着されている。なお、面状ヒータ３は、電力供給されると、一方の面および他方の面の両方の面が発熱する。
【００２５】
図２に示す例では、面状ヒータ３は、上面と下面とを有する平面状の四角形に成型されているが、円形や楕円形等の他の形状に成型されていてもよい。
【００２６】
図３は、面状ヒータ３の垂直断面図である。図３に示すように、発熱ヒータ３３の一方の面はヒータ保護部３２ａを介して防水性素材部３１ａで覆われ、発熱ヒータ３３の他方の面はヒータ保護部３２ｂを介して防水性素材部３１ｂで覆われている。そして、面状ヒータ３の両面（一方の面および他方の面）が発熱ヒータ３３によって熱せられる。
【００２７】
防水性素材部３１ａ，３１ｂの素材は、キャディバッグ１に収納されたゴルフクラブ１００が雨等で濡れていた場合であっても、水を面状ヒータ３の内部に侵入させない防水性を有する素材である。具体的には、例えば、防水ナイロン等である。
【００２８】
ヒータ保護部３２ａ，３２ｂの素材は、キャディバッグ１にゴルフクラブ１００が出し入れされる際の衝撃を吸収して、発熱ヒータ３３の破損を防止する衝撃吸収性を有する素材である。また、発熱ヒータ３３に接するので、耐熱性も有する。具体的には、例えば、シリコンゴム等である。
【００２９】
面状ヒータ３の発熱ヒータ３３は、電源ケーブル５を介して電池パック４から所定の電力（例えば、４〜８個程度の乾電池によって供給される電力）が供給されると、例えば、表面温度が４０℃程度になるまで発熱する。面状ヒータ３３によって発せられた熱は、ヒータ保護部３２ａ，３２ｂおよび防水性素材部３１ａ，３２ｂを介してキャディバッグ１に収容されているゴルフクラブ１００のシャフト部１０２に伝えられ、シャフト部１０２を加温する。つまり、面状ヒータ３の近傍のシャフト部１０２を加温する。
【００３０】
シャフト部１０２に伝えられた熱は、当該シャフト部１０２を介してグリップ部１０１に伝えられ、グリップ部１０１を加温する。また、シャフト部１０２に伝えられた熱は、当該シャフト部１０２を介してヘッド部１０３に伝えられ、ヘッド部１０３を加温する。
【００３１】
また、面状ヒータ３は、発熱によって、キャディバッグ１の内部の空気を加温し、内部温度を外気温より４〜６℃上昇させ、ゴルフクラブ１００の全体を間接的に加温する。
【００３２】
次に、ゴルフクラブ保温カバー２０ａについて、図面を参照して説明する。図４は、ゴルフクラブ保温カバー２０ａの例を示す外観斜視図である。図４に示すように、ゴルフクラブ保温カバー２０ａは、キャディバッグ１の開口面（具体的には、キャディバッグ１の上部に設けられ、ゴルフクラブ１００（より具体的には、ゴルフクラブ１００のシャフト部１０２およびグリップ部１０１）を出し入れするために筺体によって覆われていない面）を覆う蓋状の成型品である。
【００３３】
図４に示すように、保温カバー２０ａは、蓋部１５と締結部１１とを含む。蓋部１５は、市販のキャディバッグ１の開口面の形状に対応可能な形状に成型されている。そして、蓋部１５には、ゴルフクラブ１００（具体的には、ゴルフクラブ１００のシャフト部１０２およびグリップ部１０１）が出し入れされるためのスリットである長スリット１２ａ〜１２ｃが設けられている。図４に示す例では、３本の長スリット１２ａ〜１２ｃが設けられているが、長スリットの数は３本に限られず、他の本数であってもよい。なお、長スリット１２ａ，１２ｃの長さは、例えば、７０ｍｍ程度であり、長スリット１２ｂの長さは、例えば、１００ｍｍ程度である。
【００３４】
また、図４に示す例では、各長スリット１２ａ〜１２ｃを介したゴルフクラブ１００の出し入れを容易にするために、各長スリット１２ａ〜１２ｃに交差し、各長スリット１２ａ〜１２ｃよりも短い（例えば、１５〜２０ｍｍ）スリットである短スリット１３ａ〜１３ｎが設けられている。図４に示す例では、蓋部１５には、長スリット１２ａに交差する短スリット１３ａ〜１３ｄが設けられ、長スリット１２ｂに交差する短スリット１３ｅ〜１３ｊが設けられ、長スリット１２ｃに交差する短スリット１３ｋ〜１３ｎが設けられている。
【００３５】
なお、図４に示す例では、ゴルフ競技の規則にもとづいて１４本以下の本数のゴルフクラブ１００が用いられることを想定して１４本の短スリット１３ａ〜１３ｎが設けられているが、短スリットの数は１４本に限られず、他の本数であってもよい。長スリット１２ａと各短スリット１３ａ〜１３ｄとが交差する場所、長スリット１２ｂと各短スリット１３ｅ〜１３ｊとが交差する場所、および長スリット１２ｃと各短スリット１３ｋ〜１３ｎとが交差する場所は、例えば、キャディバッグ１の内部において各ゴルフクラブ１００を収納するための仕切りにそれぞれ対応する場所である。そのように構成された場合には、各長スリット１２ａ〜１２ｃと各短スリット１３ａ〜１３ｎとが交差する場所を目印にして、使用者がゴルフクラブ１００を容易にキャディバッグ１に収容することができる。
【００３６】
また、蓋部１５には、短スリット１３ａ〜１３ｎが設けられる代わりに、または短スリット１３ａ〜１３ｎとともに、ゴルフクラブ１００の出し入れを容易にするための穴が設けられていてもよい。
【００３７】
蓋部１５において、各長スリット１２ａ〜１２ｃと各短スリット１３ａ〜１３ｎには、ゴルフクラブ１００の出し入れ等による摩耗等によるスリット幅の拡大やスリット長が長くなることを防ぐために、各スリットに沿って補強処理がなされている。具体的には、例えば、蓋部１５の表面と裏面とが各スリットに沿って糸で縫いつけられている。
【００３８】
締結部１１は、蓋部１５がキャディバッグ１の開口面を覆うために、当該開口面の周囲に巻きつけられる１５ｍｍ程度の幅の帯状体である。そして、締結部１１には、当該締結部１１の長さをキャディバッグ１の開口面の周囲の長さに応じた長さに固定するための面ファスナ１４ａ，１４ｂが設けられている。
【００３９】
締結部１１は、蓋部１５がキャディバッグ１の開口面を覆うように、使用者によってキャディバッグ１の開口面の周囲（キャディバッグ１の上端部の近傍）に巻きつけられ、面ファスナ１４ａ，１４ｂによって巻きつけの強さを調節される。
【００４０】
図５は、ゴルフクラブ保温カバー２０ａの垂直断面図である。図５に示すように、ゴルフクラブ保温カバー２０ａは、断熱性ゴム２５と、当該断熱性ゴム２５の両面をそれぞれ覆う布２６ａ，２６ｂとを含み、例えば、１０ｍｍ程度の厚さである。
【００４１】
断熱性ゴム２５は、断熱機能と防水機能とを有する。布２６ａ，２６ｂは、伸縮性を有し、例えば、ウールとナイロンとからなる。
【００４２】
以上に述べたように、本実施の形態によれば、面状ヒータ３が発熱することにより、ゴルフクラブ１００のシャフト部１０２を直接的に、および間接的に加温することができる。つまり、外気温や季節に関わらずゴルフクラブ１００を所定の範囲内の温度に維持することができる。そして、使用者が、外気温や季節に左右されず、安定した競技を行うことができる。
【００４３】
また、発熱ヒータ３３が、ヒータ保護部３２a，３２ｂ、および当該ヒータ保護部３２a，３２ｂを覆う防水性素材部３１ａ，３１ｂで保護されるように構成されているので、屋外競技中における発熱ヒータ３３の破損を防ぐことができる。
【００４４】
また、発熱ヒータ３３が、乾電池から供給された電力にもとづいて発熱するように構成されているので、大型の蓄電池を用いた場合に比べ、ゴルフクラブ加温装置１０全体を軽量化することができる。そして、ゴルフクラブ加温装置１０が設置されたキャディバッグ１の運搬を容易にし、使用者がゴルフ競技に集中することができる。また、既存のキャディバッグ１を利用可能であるので、低コストでゴルフクラブ１００を加温することができる。
【００４５】
ゴルフクラブ保温カバー２０ａが、ゴルフクラブ１００のシャフト部１０２およびグリップ部１０１の上部を覆うので、雨天時にはゴルフクラブ１００のシャフト部１０２およびグリップ部１０１の濡れを防ぐことができる。また、寒冷時にはシャフト部１０２やグリップ部１０１の温度低下を防ぐことができる。特に、強風時におけるヘッド部１０３の温度低下によるシャフト部１０２およびグリップ部１０１の温度低下の防止に効果的である。
【００４６】
また、ゴルフクラブ保温カバー２０ａの蓋部１５に、ゴルフ競技中にゴルフクラブ１００を出し入れするための長スリット１２ａ〜１２ｃおよび短スリット１３ａ〜１３ｎが設けられているので、使用者による迅速なゴルフクラブ１００の出し入れを可能にし、使用者をゴルフ競技に集中させることができる。
【００４７】
さらに、ゴルフクラブ保温カバー２０ａがゴルフクラブ１００のシャフト部１０２およびグリップ部１０１の上部を覆うので、キャディバッグ１の開口面から流入する外気によるゴルフクラブ１００のシャフト部１０２およびグリップ部１０１の温度低下を防ぐことができる。また、ゴルフクラブ保温カバー２０ａの蓋部１５に設けられた長スリット１２ａ〜１２ｃおよび短スリット１３ａ〜１３ｎから面状ヒータ３によって暖められて上昇した空気が漏れ出るので、雨などによって濡れたゴルフクラブ１００が収容された場合には、キャディバッグ１の内部の湿った空気が外部に排出され、濡れたシャフト部１０２やグリップ部１０１を乾燥させることができる。
【００４８】
また、ゴルフクラブ１００のヘッド部１０３は、ゴルフクラブ保温カバー２０ａの蓋部１５に覆われていないので、使用者は使用を欲するゴルフクラブを容易かつ迅速に識別し、ゴルフ競技に集中することができる。
【００４９】
実施の形態２．
本考案の第２の実施の形態のゴルフクラブ加温システムについて説明する。本考案の第２の実施の形態のゴルフクラブ加温システムは、第１の実施の形態のゴルフクラブ保温カバー２０ａに代えて、ゴルフクラブ保温カバー２０ｂを用いる点が異なる。
【００５０】
図６は、ゴルフクラブ保温カバー２０ｂの例を示す外観斜視図である。図６に示すように、ゴルフクラブ保温カバー２０ｂは、キャディバッグ１に収納されているゴルフクラブ１００の上部（具体的には、キャディバッグ１の開口面から突出する部分であるゴルフクラブ１のヘッド部１０３）を覆う袋状の形状に成型され、切りこみ２４が設けられた開口部が下方になるようにゴルフクラブ１００の上部に設置される。
【００５１】
そして、図６に示すようにゴルフクラブ保温カバー２０ｂは、ゴルフの競技中にゴルフクラブ１００を出し入れするための開閉部２１と、キャディバッグ１の開口面の周囲（キャディバッグ１の上端部の近傍）に巻きつけられる締結部２２とを含む。なお、ゴルフクラブ保温カバー２０ｂの素材は、図５に示すゴルフクラブ保温カバー２０ａの素材と同様なため、説明を省略する。
【００５２】
ゴルフクラブ保温カバー２０ｂの開閉部２１は、通常時では閉状態（つまり、ゴルフクラブ保温カバー２０ｂの内部の空気が外部に流出したり、外部の空気が内部に流入したりすることが困難な状態）になるように成型されたスリットである。そして、ゴルフの競技中にゴルフクラブ１００がキャディバッグ１に出し入れされる場合に、使用者によって開状態にされる。
【００５３】
そして、開閉部２１には、ファスナ２３が設置されている。ファスナ２３は、例えば、面ファスナや線ファスナである。図６に示す例ではファスナ２３は線ファスナである。そして、使用者によって、ファスナ２３に開閉操作が行われる。使用者によって、ファスナ２３に閉操作がなされると、ゴルフクラブ保温カバー２０ｂの内部の空気の開閉部２１のスリットを通じた外部への流出や、外部の空気の内部への流入が遮断される。
【００５４】
また、締結部２２は、ゴルフクラブ保温カバー２０ｂにおける開口部であって、当該開口部に設けられた切りこみ２４の端部に設置されている。具体的には、締結部２２は、例えば、面ファスナによって実現される。
【００５５】
そして、締結部２２は、使用者によって、キャディバッグ１の開口面の周囲（キャディバッグ１の上端部の近傍）に巻きつけられ、面ファスナによって締結される。
【００５６】
以上に述べたように、本実施の形態によれば、面状ヒータ３が発熱することにより、ゴルフクラブ１００のシャフト部１０２を直接的に、および間接的に加温することができる。つまり、外気温や季節に関わらずゴルフクラブ１００を所定の範囲内の温度に維持することができる。そして、使用者が、外気温や季節に左右されず、安定した競技を行うことができる。
【００５７】
また、発熱ヒータ３３が、ヒータ保護部３２a，３２ｂ、および当該ヒータ保護部３２a，３２ｂを覆う防水性素材部３１ａ，３１ｂで保護されるように構成されているので、屋外競技中の発熱ヒータ３３の破損を防ぐことができる。
【００５８】
また、発熱ヒータ３３が、乾電池から供給された電力にもとづいて発熱するように構成されているので、大型の蓄電池を用いた場合に比べ、ゴルフクラブ加温装置１０全体を軽量化することができる。そして、ゴルフクラブ加温装置１０が設置されたキャディバッグ１の運搬を容易にし、使用者がゴルフ競技に集中することができる。また、既存のキャディバッグ１を利用可能であるので、低コストでゴルフクラブ１００を加温することができる。
【００５９】
ゴルフクラブ保温カバー２０ｂが、ゴルフクラブ１００の上部を覆うので、雨天時にはゴルフクラブ１００の濡れを防ぐことができる。また、寒冷時にはゴルフクラブ１００のヘッド部１０３の温度低下を防ぎ、ヘッド部１０３の温度低下によるシャフト部１０２やグリップ部１０１の温度低下を防ぐことができる。特に、強風時におけるヘッド部１０３の温度低下の防止に効果的である。
【００６０】
また、ゴルフクラブ保温カバー２０ｂが、複数のゴルフクラブ１００のヘッド部１０３を覆うように構成されているので、運搬中などに、複数のゴルフクラブ１００が互いに接触することによる破損（傷の発生等）を防ぐことができる。特に、ゴルフクラブ保温カバー２０ｂが、複数のゴルフクラブ１００の各ヘッド部１０３の移動を制限するように構成されている場合（具体的には、例えば、ゴルフクラブ保温カバー２０ｂの内面が複数のゴルフクラブ１００の各ヘッド部１０３の移動を制限可能な程度に強く当該ヘッド部１０３に接するように構成されている場合）には、この効果は顕著である。
【００６１】
また、ゴルフクラブ保温カバー２０ｂの上面にゴルフの競技中にゴルフクラブ１００を出し入れするための開閉部２１が設けられているので、使用者による迅速なゴルフクラブ１００の出し入れを可能にし、使用者を競技に集中させることができる。なお、開閉部２１には、ファスナ２３が設置されているので、使用者によって適切な開閉操作がなされることにより、迅速なゴルフクラブ１００の出し入れを可能にするとともに、上述した雨天時の濡れや寒冷時の温度低下を防ぐこともできる。
【００６２】
さらに、ゴルフクラブ保温カバー２０ｂがゴルフクラブ１００の上部を覆うので、面状ヒータ３によって暖められて上昇した空気をゴルフクラブ保温カバー２０ｂの内部に取り入れ、当該暖められた空気によってゴルフクラブ１００のヘッド部１０３を暖めることができる。つまり、ゴルフクラブ加温装置１０とゴルフクラブ保温カバー２０ｂとが協働して、ゴルフクラブ１００のシャフト部１０２やヘッド部１０３、グリップ部１０１を暖めたり、温度低下を防いだりすることができる。
【符号の説明】
【００６３】
１      キャディバッグ
３      面状ヒータ
４      電池パック
５      電源ケーブル
１０    ゴルフクラブ加温装置
１１    締結部
１２ａ，１２ｂ，１２ｃ  長スリット
１３ａ〜１３ｎ  短スリット
１４ａ，１４ｂ  面ファスナ
１５    蓋部
２０ａ，２０ｂ    ゴルフクラブ保温カバー
２１    開閉部
２２    締結部
２３    ファスナ
２４    切りこみ
２５    断熱性ゴム
２６ａ，２６ｂ    布
３１ａ，３１ｂ    防水性素材部
３２ａ，３２ｂ    ヒータ保護部
３３    発熱ヒータ
１００  ゴルフクラブ
１０１  グリップ部
１０２  シャフト部
１０３  ヘッド部
【図１】
0003158097.tif 000003
【図２】
0003158097.tif 000004
【図３】
0003158097.tif 000005
【図４】
0003158097.tif 000006
【図５】
0003158097.tif 000007
【図６】
0003158097.tif 000008
【図７】
0003158097.tif 000009
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
ヘッド部が上方になるようにキャディバッグに収容されたゴルフクラブを加温するゴルフクラブ加温装置であって、
面状に成型され、電力が供給されると発熱する発熱ヒータと、
前記発熱ヒータに電力を供給する電池を収納する電池パックと、
前記発熱ヒータと前記電池パックとを接続する電源ケーブルとを備え、
前記発熱ヒータは、前記キャディバッグに収容された前記ゴルフクラブのシャフト部の近傍に位置するように、前記電源ケーブルによって垂下される
ことを特徴とするゴルフクラブ加温装置。
【手続補正３】
【補正対象書類名】明細書
【補正対象項目名】０００１
【補正方法】変更
【補正の内容】
【０００１】
本考案は、キャディバッグに収容されたゴルフクラブを加温するゴルフクラブ加温装置に関する。
【手続補正４】
【補正対象書類名】明細書
【補正対象項目名】００１１
【補正方法】変更
【補正の内容】
【００１１】
そこで、本考案は、低コストでゴルフクラブを加温するゴルフクラブ加温装置を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１８
【補正方法】変更
【補正の内容】
【００１８】
実施の形態１．
本考案によるゴルフクラブ加温装置１０を含む第１の実施の形態のゴルフクラブ加温システムについて説明する。図１は、本考案の第１の実施の形態のゴルフクラブ加温システムの構成例を示す説明図である。図１に示すように、本考案によるゴルフクラブ加温装置１０を含む第１の実施の形態のゴルフクラブ加温システムは、ゴルフクラブ加温装置１０およびゴルフクラブ保温カバー２０ａを含む。また、ゴルフクラブ加温装置１０は、通電されると発熱する面状ヒータ３、電池を内蔵する電池パック４、および面状ヒータ３と電池パック４とを接続する電源ケーブル５を含み、既存のキャディバッグ１に設置されている。
【手続補正９】
【補正対象書類名】明細書
【補正対象項目名】００４９
【補正方法】変更
【補正の内容】
【００４９】
実施の形態２．
本考案によるゴルフクラブ加温装置１０を含む第２の実施の形態のゴルフクラブ加温システムについて説明する。本考案によるゴルフクラブ加温装置１０を含む第２の実施の形態のゴルフクラブ加温システムは、第１の実施の形態のゴルフクラブ保温カバー２０ａに代えて、ゴルフクラブ保温カバー２０ｂを用いる点が異なる。